(57)【特許請求の範囲】
【請求項１】
セレクタ装置本体と、  ユーザの操作に応じた操作信号を無線で前記セレクタ装置本体へ送るリモートコントローラと  を具備するセレクタ装置であって、  前記リモートコントローラは、  ユーザの前記操作を受け付けて、当該操作に応じた操作信号を生成する操作部と、  前記操作部が生成した前記操作信号を無線により前記セレクタ装置本体に送信する操作信号送信手段と、  前記セレクタ装置本体から送信される制御信号に応じた表示を行う表示手段とを有し、  前記セレクタ装置本体は、  外部機器から出力された信号を受け取る入力端子を複数備えた入力手段と、  前記入力手段の各入力端子が受け取った複数の信号から一の信号を選択して、当該信号を出力する選択手段と、  前記入力手段の各入力端子に得られる信号を所定タイミング毎に解析して当該信号が再生信号であるか否かを判定する判定手段と、  前記判定手段が判定を行う度に前記各入力端子についての判定結果を記憶する状態記憶手段と、  前記判定手段が新たに判定した結果とその時点における前記状態記憶手段の記憶内容とを比較し、新たに再生信号であると判定された入力端子がある場合には、当該再生信号の数を判断し、当該数が一である場合に、前記選択手段に当該再生信号を受け取る入力端子を選択させ、当該数が二以上である場合に、当該各再生信号をそれぞれ所定時間ずつ順に出力させるように前記選択手段に、当該各再生信号を受け取る各入力端子を選択させる切替指示手段と、  前記記憶手段に再生信号であるという判定結果が複数の入力端子について記憶されている場合には、当該各入力端子のうち、前記選択手段により選択されていない信号を受け取る入力端子の状態を、前記選択手段により選択されている信号を受け取る入力端子に対応する第１表示態様、および前記再生信号でない信号を受け取る入力端子に対応する第２表示態様とは異なる第３表示態様で前記表示手段に表示させる表示制御手段と、  前記表示装置に前記表示を行わせるための、前記表示制御手段による制御信号を無線により当該表示手段へ送信する送信手段とを有する  ことを特徴とするセレクタ装置。
【発明の詳細な説明】
【技術分野】
【０００１】
本発明は、複数のオーディオ機器が出力する信号を選択するセレクタ装置に関する。
【背景技術】
【０００２】
オーディオアンプには、一般にＣＤ（ＣＤ−ＤＡ；Ｃｏｍｐａｃｔ Ｄｉｓｃ−Ｄｉｇｉｔａｌ Ａｕｄｉｏ）プレーヤ、ＤＶＤ（Ｄｉｇｉｔａｌ Ｖｅｒｓａｔｉｌｅ Ｄｉｓｃ）プレーヤ、テレビ／ラジオ放送受信チューナ等の複数のオーディオ機器が接続され、これらのオーディオ機器が出力する信号が適宜選択されて出力される。ユーザはこれらのオーディオ機器の再生ボタンを押すなどして再生指示を与えるとともに、オーディオアンプの入力選択操作部（入力選択ダイヤルやリモコンボタンなど）を操作することで、再生指示を与えたオーディオ機器を選択する。
【０００３】
上述のように、ユーザが所望のコンテンツを聞こうとする際は、オーディオ機器とオーディオアンプの双方に対して選択が必要であった。
一方、オーディオ機器の中には、オーディオ信号と同時にオーディオ機器の状態（再生中、停止中など）等を示す制御信号を出力するものがある。このようなオーディオ機器から出力される制御信号をオーディオアンプ側で認識すれば、自動的に新たに再生状態になったオーディオ機器を選択することができ、煩雑な操作を回避することができる。この種のアンプは種々開発されており、例えば、特許文献１がある。
【先行技術文献】
【特許文献】
【０００４】
【特許文献１】特開２０００−３３９８４０号公報
【発明の概要】
【発明が解決しようとする課題】
【０００５】
しかしながら、特許文献１に記載のオーディオアンプでは、ユーザ所望のオーディオ機器を自動的に選択するためには、オーディオ信号以外に制御信号が別途必要であった。そのため、従来技術においては、このような制御信号を出力する機能を持たないオーディオ機器を扱うことができなかった。
【０００６】
本発明は、上述の事情に鑑みてなされたものであり、オーディオ機器から送られるオーディオ信号のみを用いて、当該オーディオ機器が再生状態になったら、自動的に入力端子を切り替えるセレクタ装置およびアンプ装置を提供することを目的とする。
【課題を解決するための手段】
【０００７】
上述した課題を解決するため、本発明に係るセレクタ装置は、セレクタ装置本体と、ユーザの操作に応じた操作信号を無線で前記セレクタ装置本体へ送るリモートコントローラとを具備するセレクタ装置であって、前記リモートコントローラは、ユーザの前記操作を受け付けて、当該操作に応じた操作信号を生成する操作部と、前記操作部が生成した前記操作信号を無線により前記セレクタ装置本体に送信する操作信号送信手段と、前記セレクタ装置本体から送信される制御信号に応じた表示を行う表示手段とを有し、前記セレクタ装置本体は、外部機器から出力された信号を受け取る入力端子を複数備えた入力手段と、前記入力手段の各入力端子が受け取った複数の信号から一の信号を選択して、当該信号を出力する選択手段と、前記入力手段の各入力端子に得られる信号を所定タイミング毎に解析して当該信号が再生信号であるか否かを判定する判定手段と、前記判定手段が判定を行う度に前記各入力端子についての判定結果を記憶する状態記憶手段と、前記判定手段が新たに判定した結果とその時点における前記状態記憶手段の記憶内容とを比較し、新たに再生信号であると判定された入力端子がある場合には、当該再生信号の数を判断し、当該数が一である場合に、前記選択手段に当該再生信号を受け取る入力端子を選択させ、当該数が二以上であるである場合に、当該各再生信号をそれぞれ所定時間ずつ順に出力させるように前記選択手段に、当該各再生信号を受け取る各入力端子を選択させる切替指示手段と、前記記憶手段に再生信号であるという判定結果が複数の入力端子について記憶されている場合には、当該各入力端子のうち、前記選択手段により選択されていない信号を受け取る入力端子の状態を、前記選択手段により選択されている信号を受け取る入力端子に対応する第１表示態様、および前記再生信号でない信号を受け取る入力端子に対応する第２表示態様とは異なる第３表示態様で前記表示手段に表示させる表示制御手段と、前記表示装置に前記表示を行わせるための、前記表示制御手段による制御信号を無線により当該表示手段へ送信する送信手段とを有することを特徴とする。
【発明の効果】
【０００９】
本発明によれば、再生状態になったオーディオ機器から送られるオーディオ信号を自動的に選択して出力するセレクタ装置およびアンプ装置を提供することができる。また、ユーザに対して、接続されたオーディオ機器のうち、どのオーディオ機器が再生状態であるかを報知することができる。
【図面の簡単な説明】
【００１０】
【図１】本発明に係るアンプ装置の構成の一例を示すブロック図である。
【図２】各入力端子の判定結果をＲＡＭ１１ａに記憶した状態の一例を示す図である。
【図３】解析部１４による再生状態検出処理の流れを説明するフローチャートである。
【図４】状態変化検出処理の流れを説明するフローチャートである。
【図５】変形例２に係るアンプ装置１の構成の一例を示す図である。
【図６】変形例３に係るアンプ装置１の外観図である。
【図７】変形例３に係る表示処理の流れを説明するフローチャートである。
【図８】変形例３に係る操作部１７の一例である。
【図９】変形例４に係る報知処理を示すフローチャートである。
【発明を実施するための形態】
【００１１】
次に、この発明を実施するための最良の形態を説明する。
（Ａ）構成
図１は本発明に係るアンプ装置１の構成の一例を示すブロック図である。アンプ装置１の制御部１１は、例えばＣＰＵ（Ｃｅｎｔｒａｌ Ｐｒｏｃｅｓｓｉｎｇ Ｕｎｉｔ）などの演算装置とＲＯＭ（Ｒｅａｄ Ｏｎｌｙ Ｍｅｍｏｒｙ）やＲＡＭ（Ｒａｎｄｏｍ Ａｃｃｅｓｓ Ｍｅｍｏｒｙ）などの各種メモリを備えている。演算装置がこれらのメモリや記憶部に記憶されている制御プログラムを読み出して実行することにより、アンプ装置１の各部を制御する。また、ＲＡＭ１１ａは、制御部１１が各データの加工などを行う際のワークエリアとして機能する。さらに、制御部１１にはタイマが内蔵されている。このタイマは水晶振動子を有する発振回路（図示略）を備えており、その発振回路から出力される発信信号を適宜分周してタイミング制御用のクロックを生成し、生成したクロックに基づいて時間を計測する。
【００１２】
入力端子１２−１、１２−２、１２−３、１２−４は、ＣＤプレーヤやＭＤプレーヤなどのオーディオ機器（外部機器）から出力される信号を受け取る端子である。この図においては、一例としてＣＤプレーヤＡ、ＣＤプレーヤＢ、ＣＤプレーヤＣ、ＣＤプレーヤＤが接続されている。各入力端子１２−１〜１２−４は主切替器１３−１の４つの入力端子にそれぞれ接続されるとともに、副切替器１３−２の４つの入力端子にそれぞれ接続されている。
【００１３】
主切替器１３−１と副切替器１３−２は各入力端子と出力端子との間に設けられるスイッチング素子によって構成され、いずれか一つの入力端子を出力端子に択一的に接続する。制御部１１は主切替器１３−１に対し、いずれか一つの入力端子を指定する切替信号を与え、主切替器１３−１はこれに応じて入力端子を切り替える。また、制御部１１は内蔵するタイマによって所定の周期毎（本実施形態では１００ｍｓｅｃ毎）に副切替器１３−２に対し、入力端子１２−１→１２−２→１２−３→１２−４→１２−１の順に周期的に入力端子を切り替える切替信号を与え、副切替器１３−２はこれに応じて入力端子を切り替える。
【００１４】
解析部１４は、副切替器１３−２から出力される信号（以下、信号Ｓａという）を周波数解析し、当該信号がオーディオ機器（この図の場合はＣＤプレーヤＡ〜Ｄ）の再生信号であるか否かを特定する装置であり、例えばＤＳＰ（Ｄｉｇｉｔａｌ Ｓｉｇｎａｌ Ｐｒｏｃｅｓｓｏｒ）を用いて構成される。解析部１４は副切替器１３−２が一つの入力端子を選択している期間にその入力端子から得られる信号Ｓａの解析を行い、解析結果である「再生信号」もしくは「非再生信号」を示す情報を制御部１１に出力する。
【００１５】
制御部１１は解析部１４が出力した解析結果と副切替器１３−２に与える切替信号とに基づいて、どの入力端子１２−１〜１２−４に接続されたオーディオ機器が再生中であるか否かを判定する。すなわち、制御部１１は切替信号を生成して副切替器１３−２に出力しているから、現時点でどの入力端子１２−１〜１２−４が選択されているかを認識することができる。そして、解析部１４が出力する解析結果が「再生信号」であるか「非再生信号」であるかを見ることにより、各入力端子１２−１〜１２−４に接続されたＣＤプレーヤの再生／非再生の状態を判定する。そして、判定した結果を制御部１１内のＲＡＭ１１ａに各入力端子１２−１〜１２−４に対応させて記憶する。図２はこの記憶状態を示しており、図示のように各入力端子１２−１〜１２−４毎に再生もしくは非再生の状態が記録される。
【００１６】
記憶部１５は、例えばハードディスクなどの大容量の記憶手段であり、制御プログラムのほか、制御に必要な情報を記憶する。
【００１７】
アンプ１６はＤ／Ａコンバータ、増幅器等を備えており、主切替器１３−１が出力するデジタルオーディオ信号を受け取り、当該信号をアナログデータに変換して増幅するほか、さまざまな音響効果処理（エコー、イコライジングなど）を行う。増幅され、音響効果処理が施された加工済信号は出力端子１６ａを介して外部出力機器（スピーカなど）により放音される。
【００１８】
操作部１７は各種のキーを備えており、押下されたキーに対応した信号を制御部１１へ出力する。表示部１８は、複数の発光ダイオードを備えており、どの機器がどのような状態にあるかを予め定められた態様で表示する。
次に、実施形態の動作を説明する。
【００１９】
（Ｂ）動作
まず、アンプ装置１に接続された全てのＣＤプレーヤが停止している状態で、ユーザがＣＤをいずれかのＣＤプレーヤＡ〜Ｄに装填したとする。
【００２０】
以下、ユーザがＣＤプレーヤＡにＣＤを装填したとして説明を行う。ユーザがＣＤプレーヤＡの図示しないボタンを押下すると、ＣＤプレーヤＡはＣＤに記憶されたデジタルオーディオ信号を読み取り、入力端子１２−１へ出力する。入力端子１２−１に送られたデジタルオーディオ信号は主切替器１３−１と副切替器１３−２に分岐される。
【００２１】
副切替器１３−２では制御部１１によって周期的に入力端子が切り替えられる。例えば、１００ｍｓｅｃ毎に入力端子が切り替えられている。解析部１４は副切替器１３−２が出力したデジタルオーディオ信号を周波数解析することにより再生状態を検出し、解析結果を制御部１１に出力する。
【００２２】
ここでこの再生状態検出処理の動作について詳細に説明する。図３は解析部１４による再生状態検出処理の流れを説明するフローチャートである。図３に示すように、解析部１４は信号Ｓａを周波数解析する（ステップＳ１０１）。次に信号Ｓａのレベルに基づいて、信号Ｓａが無音か否かを検出する（ステップＳ１０２）。この実施形態の場合は、信号Ｓａのレベルが所定の閾値以下であれば無音と判定する。このステップにおいて無音と判定された場合には（ステップＳ１０２；ＹＥＳ）、信号Ｓａは再生信号ではないから、解析部１４は「非再生信号」という結果を制御部１１に出力する（ステップＳ１０５）。
【００２３】
一方、ステップＳ１０２において、無音でないと判定された場合は（ステップＳ１０２；ＮＯ）、周波数解析の結果に基づいてノイズであるか否かを判定する（ステップＳ１０３）。ステップＳ１０３でノイズ判定を行うのは、ハムノイズが混入したり、何らかの発振ノイズが混入したりしている場合は、再生信号が出力されていない場合でも、これらのノイズによって信号Ｓａのレベルが所定の閾値を超えることがあり、このような場合に信号Ｓａを再生信号であると誤認識しないようにするためである。
【００２４】
ステップＳ１０３の判定のアルゴリズムはノイズを検出することができればどのようなものでもよい。例えば信号Ｓａのスペクトルのうち、商用電源周波数（５０Ｈｚまたは６０Ｈｚ）およびその整数倍の周波数においてピークが現れるようなときは、信号Ｓａはハムノイズであると判定する。また、周波数成分において強いピークが連続して現れているような場合には、信号Ｓａは発振ノイズであると判定される。
【００２５】
このように、ノイズであると判定された場合は（ステップＳ１０３；ＹＥＳ）、信号Ｓａは再生信号ではないから、解析部１４は「非再生信号」という結果を制御部１１に出力する（ステップＳ１０５）。
【００２６】
一方、信号Ｓａがノイズではないと判定されると（ステップＳ１０３；ＮＯ）、解析部１４は信号Ｓａを再生信号であると判定し、「再生信号」という解析結果を制御部１１に出力する（ステップＳ１０４）。
【００２７】
全てのＣＤプレーヤが停止している間は全ての入力端子から送られる信号Ｓａの解析結果はいずれも「非再生信号」となるため、制御部１１はＲＡＭ１１ａに全ての入力端子の信号Ｓａを非再生状態として記録する。
【００２８】
上述のユーザの操作に起因して入力端子１２−１からデジタルオーディオ信号が副切替器１３−２に送られ始めると、これ以降は、解析部１４は入力端子１２−１が選択されているタイミングにおいて「再生信号」を示す解析結果を制御部１１に出力する。
【００２９】
次に、制御部１１は以下の動作により各入力端子の状態変化を検出する。図４は状態変化検出処理の流れを説明するフローチャートである。図４に示すように、制御部１１は、副切替器１３−２において入力端子１２−１が選択されているタイミングに解析部１４から解析結果を受け取ると（ステップＳ２０１；ＹＥＳ）、これをＲＡＭ１１ａに入力端子１２−１と関連付けて記憶し（ステップＳ２０２）、記憶した現在の解析結果が「再生信号」ではない場合（ステップＳ２０３；ＮＯ）すなわち、信号Ｓａが「非再生信号」のまま変化していない場合および「再生信号」から「非再生信号」に変化した場合は、制御部１１は解析結果の監視に戻る（ステップＳ２０１）。
【００３０】
一方、現在の解析結果が「再生信号」である場合（ステップＳ２０３；ＹＥＳ）には、制御部１１は前回の同じ入力端子１２−１についての解析結果（すなわち、４００ｍｓｅｃ前にＲＡＭ１１ａに記憶した解析結果）とを比較する（ステップＳ２０４）。そして、この比較の結果、当該解析結果が前回の解析結果と異なる場合（ステップＳ２０４；ＹＥＳ）には、「非再生信号」から「再生信号」への状態変化を検出したとして主切替器１３−１に入力端子１２−１を指定する切替信号を出力する（ステップＳ２０５）。
【００３１】
一方、当該解析結果が前回の解析結果と同じであると判断される場合（ステップＳ２０４；ＮＯ）すなわち、信号Ｓａが「再生信号」のまま変化していない場合には、制御部１１は解析結果の監視に戻る（ステップＳ２０１）。
【００３２】
以上のようにして、制御部１１は信号Ｓａが「非再生信号」から「再生信号」に変化したときに、状態が変化した入力端子に切り替えることを指定する切替信号を主切替器１３−１に出力する。
【００３３】
上述の動作例では、解析部１４が入力端子１２−１の信号Ｓａについて最初に「再生信号」を示す解析結果を制御部１１に出力したときに、制御部１１は入力端子１２−１の信号Ｓａについて「非再生信号」から「再生信号」に変化したことを検出し、主切替器１３−１に入力端子１２−１を指定する切替信号を出力する。主切替器１３−１はこれを受けて入力端子を入力端子１２−１に切り替える。
【００３４】
この結果ＣＤプレーヤＡが再生するＣＤに記憶されたデジタルオーディオ信号がアンプ１６に出力され、このデジタルオーディオ信号をアンプ１６がアナログオーディオ信号に変換して出力し、当該アナログオーディオ信号は出力端子１６ａを介して、外部出力機器に送られて、音に変換されて放音される。
【００３５】
次に、ユーザがＣＤプレーヤＢにＣＤを装填し、ＣＤプレーヤＡを再生状態にしたまま、ＣＤプレーヤＢの再生ボタンを押下すると、ＣＤプレーヤＢはＣＤから読み取ったデジタルオーディオ信号を入力端子１２−２へ出力する。この結果、入力端子１２−２から送られる信号Ｓａについての解析部１４による解析結果も「再生信号」を示すものとなる。
【００３６】
すなわち、入力端子１２−１が選択されているタイミングのみならず、入力端子１２−２が選択されているタイミングにあっても、解析部１４は「再生信号」を示す解析結果を制御部１１に出力する。これにより、制御部１１は入力端子１２−１と入力端子１２−２の双方について再生状態としてＲＡＭ１１ａに記録する。
【００３７】
次に、制御部１１は、上述と同様に解析結果とＲＡＭ１１ａの記憶内容に基づいて入力端子から送られる信号の状態変化を検出する。ここでは入力端子１２−２について「非再生信号」から「再生信号」に変化したことが検出されるため、制御部１１は主切替器１３−１に対して入力端子１２−２を指定する切替信号を出力する。主切替器１３−１はこれを受けて入力端子を入力端子１２−２に切り替える。この結果、ＣＤプレーヤＢが再生するＣＤに記憶されたデジタルオーディオ信号がアンプ１６に出力され、ユーザが後から再生を開始したＣＤの記憶内容が音に変換されて放音される。
【００３８】
以上のようにして、アンプ装置１は後から再生状態になったオーディオ機器からの信号を自動的に選択するため、ユーザは別段のセレクト操作をしなくても、アンプ装置１に接続されたオーディオ機器に対して再生指示をするだけで所望の楽曲を聴くことができる。また、アンプ装置１はオーディオ機器から状態信号（再生中や停止中などを示す状態信号）を要求せず、機器から出力されるオーディオ信号のみを用いるので、オーディオ信号を出力する機器であればどのような機器であっても、上述の自動選択処理を行うことができる。
【００３９】
＜変形例＞
以上、本発明の実施形態について説明したが、本発明は上述した実施形態に限定されることなく、他の様々な形態で実施可能である。以下にその一例を示す。なお、以下の各態様を適宜に組み合わせてもよい。
【００４０】
（１）上述の実施形態では、一度でも信号Ｓａが「非再生信号」から「再生信号」に変化したことを検出すると主切替器１３−１に切替信号を送っていたが、所定の回数や時間を超えて「再生信号」を維持していることをもって「非再生信号」から「再生信号」に変化したことの検出としてもよい。例えば、２秒に相当する回数（この場合は５回）の「再生信号」が継続されたことをもって、上述の変化を検出するとしてもよい。このようにすると、副切替器１３−２における１周の切替動作が完了する４００ｍｓｅｃの間にいずれかのオーディオ機器において一時的に音声が発生したために、ユーザが意図していないその機器を本発明に係るセレクタ装置が自動選択してしまうことを防止することができる。
【００４１】
また、楽曲には音楽的効果を意図して短い無音状態が含まれている場合もあり、さらに複数の楽曲が収録されたＣＤにおいては、楽曲と楽曲の間に通常２〜４秒程度の無音時間を設けられている場合もある。そのため、解析部１４がこれらの無音時間を解析して、「非再生信号」と判定してしまうと、その直後の音声信号を解析するたびに主切替器１３−１が入力端子を切り替えてしまうため、ユーザの意図しないオーディオ機器が自動的に選択されてしまうことが起こりうる。
【００４２】
そこで上述と同様に、信号Ｓａが「再生信号」から「非再生信号」に変化する際にも、所定の回数や時間を超えて「非再生信号」を維持していることをもって、当該信号Ｓａが非再生状態になったことを認識してもよい。例えば、６秒に相当する回数（この場合は１５回）の「非再生信号」が維持されたことをもって、現在の状態を非再生状態と認識するようにしてもよい。このようにすると、上述のように本発明にかかるアンプ装置１がユーザの意図していない機器を自動選択してしまうことを防止することができる。なお、上述の回数（又は時間）は固定の値としてもよいし、操作部１７の操作によって適宜設定してもよい。
【００４３】
（２）上述の実施形態では、主切替器１３−１と副切替器１３−２の信号の出力に時間差は設けなかったが、時間差を設けてもよい。例えば、主切替器１３−１の各入力端子に遅延器１３−１１、１３−１２、１３−１３、１３−１４を設け、主切替器１３−１から出力する信号を副切替器１３−２が出力する信号Ｓａよりも予め設定した遅延時間だけ遅らせるようにしてもよい。図５はこの変形例２に係るアンプ装置１の構成の一例を示す図である。各遅延器１３−１１〜１３−１４は例えばバッファメモリであり、図５に示すように、主切替器１３−１の入力端子にそれぞれ備えられ、一時的に入力信号を蓄えてから出力する。これにより、主切替器１３−１の出力信号は信号Ｓａよりも、予め設定した遅延時間だけ遅れて出力される。
【００４４】
上述の実施形態では、制御部１１は解析部１４で信号を解析した後に主切替器１３−１に切替信号を送るため、少なくとも解析時間分は切替のタイミングが遅れてしまい、ユーザは楽曲の冒頭部分が聴くことができなくなることがありうるが、このようにすると、ユーザは楽曲の冒頭部分も聴くことができる。特に、上述の変形例１では状態変化の検出に回数等の閾値を設けているので、解析時間に加えて、その閾値との比較にかかる時間も楽曲放音の遅延の原因になるが、このような場合でも、遅延器によって適切に放音すべき信号を遅らせて出力することができるため、好適である。なお、上述の遅延時間は固定の値としてもよいし、操作部１７の操作によって適宜設定してもよい。また、変形例１で述べた閾値の設定値に連動して、これらの閾値が示す時間よりも長い遅延時間を自動的に設定するようにしてもよい。
【００４５】
（３）現在選択していないオーディオ機器のうち、再生中の機器と再生中でない機器を区別して表示するようにしてもよい。図６は変形例３に係るアンプ装置１の外観図である。図６に示すように、アンプ装置１は直方体の筐体前面に複数のＬＥＤ（Ｌｉｇｈｔ Ｅｍｉｔｔｉｎｇ Ｄｉｏｄｅ）１８−１〜１８−４を備えた表示部１８を有している。ＬＥＤ１８−１〜４は、それぞれ入力端子１２−１〜４の状態を表示する。
【００４６】
図７は変形例３に係る表示処理の流れを説明するフローチャートである。図７に示す表示処理は、例えば制御部１１に備えられたタイマによって所定周期毎に起動される割り込み処理であり、実質的に図４に示す状態変化検出処理とは並行して行われる処理である。この表示処理は入力端子１２−１→１２−２→１２−３→１２−４→１２−１の順に周期的に入力端子を検査する。即ち、以下の処理を各入力端子１２−１〜４について行う。まず、入力端子の番号が主切替器１３−１で選択している入力端子番号であれば（ステップＳ３０１；ＹＥＳ）、当該入力端子に対応するＬＥＤを点灯させる（ステップＳ３０２）。例えば、現在、主切替器１３−１で選択している入力端子番号が１２−２であれば、制御部１１はこれに対応するＬＥＤ１８−２を点灯させる。その後、制御部１１は次の入力端子を検査する（ステップＳ３０６）。
【００４７】
一方、当該入力端子の番号が主切替器１３−１で選択している入力端子番号でない場合（ステップＳ３０１；ＮＯ）、制御部１１はＲＡＭ１１ａの記憶内容を参照して、当該入力端子の信号Ｓａが「再生信号」か否かを判断する（ステップＳ３０３）。当該入力端子の信号Ｓａが「再生信号」である場合には（ステップＳ３０３；ＹＥＳ）、当該入力端子に対応するＬＥＤを点滅させる（ステップＳ３０４）。例えば、入力端子１２−１と入力端子１２−２の双方が再生状態としてＲＡＭ１１ａに記録されている場合であって、主切替器１３−１で選択されている入力端子は１２−２である場合は、入力端子１２−１について上述の処理を行うと、制御部１１は入力端子１２−１に対応するＬＥＤ１８−１を点滅させる。その後、制御部１１は上述と同様、次の入力端子を検査する（ステップＳ３０６）。一方、当該入力端子の信号Ｓａが「再生信号」ではない場合には（ステップＳ３０３；ＮＯ）、制御部１１は対応するＬＥＤを消灯させる（ステップＳ３０５）。その後、制御部１１は上述と同様、次の入力端子を検査する（ステップＳ３０６）。
【００４８】
ここで、上述の実施形態では操作部１７は有線で制御部１１と接続されていたが、無線で制御部１１と通信可能であってもよい。図８は変形例３に係る操作部１７の一例で、操作信号を無線で制御部１１へ送るリモートコントローラを示す図である。操作部１７のボタン１７−１〜１７−４はそれぞれ入力端子１２−１〜１２−４に対応しており、ユーザは表示部１８のＬＥＤ１８−１が点滅していることを確認し、これに対応するボタン１７−１を押下すると操作部１７は制御部１１に指示を送り、制御部１１はこれに応じて、入力端子１２−１を指定する切替信号を主切替器１３−１に送る。この結果、入力端子１２−１に接続されたオーディオ機器（ＣＤプレーヤＡ）が出力されるデジタルオーディオ信号がアンプ１６、出力端子１６ａを介して外部出力機器に出力され、音として放音される。
【００４９】
また、選択していないオーディオ機器からの信号は放音されないため、これらの機器のうち、再生中のものがあってもユーザは気づくことが難しく、不要な電力を消費することがありうるが、上述の態様であれば、現在選択していないオーディオ機器のうち、再生中の機器と再生中でない機器を区別して表示されるため、ユーザに当該機器の電源切断を促すことができる。なお、ボタン１７−１〜４にも発光ダイオードを備え、これらの発光ダイオードをＬＥＤ１８−１〜４と同様に点灯、点滅又は消灯させてもよい。
【００５０】
（４）複数のオーディオ機器が再生中であるとき、これらを順番に切り替えて出力し、ユーザに再生中となっているオーディオ機器を知らせても良い。図９はこの報知処理を示すフローチャートである。図に示すように、制御部１１は全ての入力端子についてサーチを行い、１周のサーチが行われたか否かを判定する（ステップＳ４０１）。全ての入力端子を１周のサーチが完了していない間（ステップＳ４０１；ＮＯ）は、制御部１１は入力端子それぞれについて順に、再生状態検出処理（ステップＳ４０７）、再生状態の記憶の更新（ステップＳ４０８）、状態変化検出処理（ステップＳ４０９）を行う。ステップＳ４０７は上述のステップＳ１０１からステップＳ１０５までの処理と同等の処理である。ステップＳ４０８は上述のステップ２０１からステップＳ２０２に対応する処理である。ステップＳ４０９は上述のステップＳ２０３からステップＳ２０４に対応する処理である。
【００５１】
これらの処理の後、制御部１１はサーチした入力端子について「非再生信号」から「再生信号」へ変化があったか否かを判断し（ステップＳ４１０）、変化を検出した場合（ステップＳ４１０；ＹＥＳ）、制御部１１は主切替器に当該入力端子を指定する切替信号を送り（ステップＳ４１１）、次の入力端子をサーチするために制御をステップＳ４０１に処理を戻す。
【００５２】
一方、変化を検出しない場合（ステップＳ４１０；ＮＯ）、制御部１１は切替信号を送らずに、制御をステップＳ４０１に戻す。ここで、上述の変化を検出しないまま、全ての入力端子を１周サーチし終わると（ステップＳ４０１；ＹＥＳ）、制御部１１はＲＡＭ１１ａの記憶内容を参照していずれかの入力端子から「再生信号」が送られているか否かを判断する（ステップＳ４０２）。いずれの入力端子からも「再生信号」が送られていないのであれば（ステップＳ４０２；ＮＯ）、制御部１１は上述した再生状態検出処理（ステップＳ４０７）に制御を移す。
【００５３】
一方、いずれかの入力端子から「再生信号」が送られているのであれば（ステップＳ４０２；ＹＥＳ）、制御部１１は「再生信号」の数を判断する（ステップＳ４０３）。ここで、この数が一である場合（ステップＳ４０３；ＹＥＳ）とは、すなわち、主切替器１３−１が選択中の「再生信号」以外に「再生信号」がないことを示しているから、ユーザに再生を所望するオーディオ機器の選択を問い合わせる必要がないため、制御部１１は切替信号を送らずに、制御をステップＳ４０１に戻す。
【００５４】
一方、この数が二以上である場合（ステップＳ４０３；ＮＯ）、主切替器１３−１が選択中の「再生信号」以外にも「再生信号」があることを示しているから、これらの「再生信号」について順に所定時間（例えば２秒）ずつ、主切替器１３−１の入力端子を切り替えて（ステップＳ４０４）、出力する（ステップＳ４０５）。これにより、ユーザはどの機器が再生中であるかを知ることができるので、当該再生中の機器を継続して再生するか否かを判断することができる。ユーザがこの要求に応じて所望の「再生信号」を選択する指示をすると（ステップＳ４０６；ＹＥＳ）、制御部１１は主切替器１３−１にユーザ所望の入力端子を指定する切替信号を送り（ステップＳ４１２）、ユーザ所望の入力端子を選択するとともに、それ以外の入力端子について「非再生信号」としてＲＡＭ１１ａに記憶する（ステップＳ４１３）。
【００５５】
このような処理により、複数のオーディオ機器が並行して再生中であるとき、アンプ装置１はこれらの機器から送られるオーディオ信号を所定時間ずつ順に放音することにより、ユーザに再生中のオーディオ機器を知らせることができるため、ユーザはアンプ装置１に接続された再生中のオーディオ機器を把握し、再生中のオーディオ機器のうちいずれかを選択したり、再生を所望しないオーディオ機器を停止させたりすることができる。
【００５６】
（５）上述の実施形態では、オーディオ機器が出力する信号はデジタルオーディオ信号であったが、アナログ信号であってもよい。この場合、例えば、解析部１４にアナログ信号をデジタル信号に変換するＡ／Ｄコンバータを備えることより、信号Ｓａを解析し、その信号がデジタル信号であるか、アナログ信号であるかを判定して判定結果に応じてオーディオ信号を処理するようにすればよい。また、デジタルオーディオ信号であれば、その種類に応じてデコード処理をするようにしてもよい。
【００５７】
さらに、本発明のアンプ装置１はオーディオ機器のみならず、映像機器を接続することも可能である。上述の判定にはオーディオ信号を用いるため、映像機器が出力するオーディオ信号を解析部１４によって解析することで、機器の自動選択が可能だからである。この場合、映像機器が出力する映像信号はオーディオ信号の自動選択に連動して選択されるように設定すればよい。
【００５８】
（６）上述の実施形態では、オーディオ信号のボリューム調整は行わなかったが、オーディオ機器の自動選択とともにボリュームの自動調整をするようにしてもよい。この場合、解析部１４が信号Ｓａのレベルを検知し、この検知結果に基づいて適切な音量を示すパラメータを自動的に演算し、制御部１１に出力するようにすればよい。制御部１１はこのパラメータを受け取り、アンプ１６をこのパラメータに応じて制御すれば、適切な音量でオーディオ信号を放音させることができる。
【００５９】
（７）上述の実施形態では、ノイズの判定の例としてハムノイズと発振ノイズの判定を挙げたが、周波数成分が所定の領域の外にあればノイズであるとし、内にあればノイズではないとするノイズ判定を行ってもよい。
【符号の説明】
【００６０】
１…アンプ装置、１１…制御部、１１ａ…ＲＡＭ、１２−１〜４…入力端子、１３−１…主切替器、１３−１１〜１４…遅延器、１３−２…副切替器、１４…解析部、１５…記憶部、１６…アンプ、１６ａ…出力端子、１７…操作部、１７−１〜４…ボタン、１８…表示部、Ａ〜Ｄ…ＣＤプレーヤ、１８−１〜４…ＬＥＤ
【図１】
0005533919.tif 000002
【図２】
0005533919.tif 000003
【図３】
0005533919.tif 000004
【図４】
0005533919.tif 000005
【図５】
0005533919.tif 000006
【図６】
0005533919.tif 000007
【図７】
0005533919.tif 000008
【図８】
0005533919.tif 000009
【図９】
0005533919.tif 000010